【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
可変の光学および／またはエネルギー特性を有する、特に、電気的に制御可能な可変光透過性／吸収性システムのタイプ（４）または可変光拡散システムのタイプまたはフォトクロミックシステムのタイプ（１６）である、少なくとも１個の活性システム（４；１６）を含むグレージングであって、
前記活性システムのための熱保護および／または前記システムにより前記グレージングに付与される光学外観の調節のための少なくとも１つの手段を含み、前記手段が、赤外線領域および／または可視線領域および／または紫外線領域において反射性を有する少なくとも１層のコーティング（６；１７）の形態であることを特徴とする、グレージング。
【請求項２】
前記コーティング（６；１７）が、少なくとも１層の誘電性材料の層と組み合わされて使用され、特に、２層の誘電性材料の層の間に配置されている、反射性層を少なくとも１層含むことを特徴とする、請求項１記載のグレージング。
【請求項３】
前記コーティング（６；１７）が、Ａｇ、Ａｕ、Ｃｕ、Ａｌ、Ｃｒ、Ｎｉ、Ｆｅ、Ｔａ、Ｚｎ、Ｚｒ、Ｓｎ、Ｉｎ、ＲｈおよびＣｄの群の少なくとも１種の金属をベースとする反射性層、または、ＴｉＮ、ＺｒＮまたはＨｆＮのような少なくとも１種の金属窒化物をベースする反射性層を少なくとも１層含むことを特徴とする、請求項１または２記載のグレージング。
【請求項４】
前記コーティング（６；１７）が、ドープされていてよい金属酸化物をベースとする反射性層、特に、酸化チタンまたはドープされた酸化チタンをベースとする反射性層を少なくとも１層含むことを特徴とする、請求項１記載のグレージング。
【請求項５】
前記電気的に制御可能なシステムが、導電性層、Ｈ+ 、Ｌｉ+ 、Ｎａ+ およびＡｇ+ のようなカチオンを可逆的に注入することができる、いわゆるカソードエレクトロクロミック層、電解質層、所望により、カチオンを可逆的に注入することができるいわゆるアノード第二エレクトロクロミック層（アノード第二エレクトロクロミック層は含まれていてもまたは含まれていなくてもよい）、および、第二の導電性層、を含む機能性層のスタックを含むエレクトロクロミックシステムのような可逆的注入性材料を含むシステムの形態の可変光透過性／光吸収性システム（４）であることを特徴とする、請求項１〜４のいずれか１項記載のグレージング。
【請求項６】
前記エレクトロクロミックシステム（４）が、水性若しくは無水性液体の形態またはポリマー若しくはゲルの形態である電解質材料を含む機能性層のスタックを含むことを特徴とする、請求項５記載のグレージング。
【請求項７】
前記エレクトロクロミックシステム（４）が、固体材料の形態、特に金属酸化物をベースとする固体材料の形態の電解質の層を含む機能性層のスタックを含み、前記エレクトロクロミックシステムが好ましくは固体材料の層のみを含むことを特徴とする、請求項５記載のグレージング。
【請求項８】
前記電気的に制御可能なシステムが、２枚の透明な剛性キャリア支持体（２，３）の間に配置されている機能性層のスタックを含むエレクトロクロミックシステム（４）であることを特徴とする、請求項１〜７のいずれか１項記載のグレージング。
【請求項９】
前記電気的に制御可能なシステムが、単一の透明剛性キャリア支持体上に配置された機能性層のスタックを含むエレクトロクロミックシステムであることを特徴とする、請求項１〜７のいずれか１項記載のグレージング。
【請求項１０】
エレクトロクロミックシステム（４）のキャリア支持体（２，３）の少なくとも一つが、ＰＶＢ、ＥＶＡまたはＰＵタイプの結合性ポリマーのシートである中間層を介して別の剛性支持体（１）に積層されていることを特徴とする、請求項８または９記載のグレージング。
【請求項１１】
前記エレクトロクロミックシステム（４）のキャリア支持体（２，３）の少なくとも一つを、ガス中間層（５）である中間層を介して少なくとも１つの他の剛性支持体（７）と組み合わせて使用し、多重グレージングを形成することを特徴とする、請求項８〜１０のいずれか１項記載のグレージング。
【請求項１２】
前記反射性コーティング（６；１７）がいずれかのキャリア支持体の面の上に配置され、前記面はエレクトロクロミックシステムの側に面している面と反対側にあり、または、グレージングを構成している、いずれかの他の支持体のいずれかの面の上に配置され、特に、ガラス（１）／反射性コーティング（６）／結合性ポリマーのシート（５）／ガラス（２）／エレクトロクロミックシステム（４）／ガラス（３）の順序を有するか、または、前記システムの導電性層に付属することを特徴とする、請求項８〜１１のいずれか１項記載のグレージング。
【請求項１３】
電気的に制御可能なシステムが、光学バルブまたは液晶システム（１６）の形態の可変光拡散性システムであり、特に、液晶のドロップレットが埋め込まれているポリマーの複合フィルムを含み、好ましくは、液晶の常光線屈折率ｎo がポリマーの屈折率ｎp と等しく、そして、２層の導電性層の間に配置されていることを特徴とする、請求項１〜４のいずれか１項記載のグレージング。
【請求項１４】
２層の導電性層（１６）の間にある光学バルブまたは液晶タイプの複合フィルムはその少なくとも片面上に、特に、そのそれぞれの面に、ガラス、アクリルポリマー、特定のポリカーボネートＰＣのタイプの透明な剛性若しくは半剛性のキャリア支持体、または、可撓性のポリエチレンテレフタレートＰＥＴタイプ可撓性のキャリア支持体（１４；１５）を有することを特徴とする、請求項１３記載のグレージング。
【請求項１５】
光学バルブまたは液晶タイプの複合フィルム（１６）を含むユニットにおいて、導電性層およびそのキャリア支持体（１４；１５）が、ポリビニルブチラール（ＰＶＢ）、エチレン−酢酸ビニル（ＥＶＡ）または特定のポリウレタン（ＰＵ）のタイプの有機結合性ポリマー（１２，１３）の少なくとも１層の補助により、少なくとも１層のガラスタイプの透明な剛性支持体（１０，１１）に積層されていることを特徴とする、請求項１４記載のグレージング。
【請求項１６】
複合体（１６）の液晶のドロップレットが色素を含み、特に、二色色素の形態で含むことを特徴とする、請求項１３〜１５のいずれか１項記載のグレージング。
【請求項１７】
反射性コーティング（１７）が、いずれかのキャリア支持体（１１）のいずれかの面の上に配置され、グレージングを構成しているいずれかの他の支持体のいずれかの面の上にあり、特に、グレージングがガラス（１０）／反射性コーティング（１７）／結合性ポリマーのシート（１２）／可撓性シート（１４）／複合体（１６）／可撓性シート（１５）／結合性ポリマーのシート（１３）／ガラス（１０）の順序を有することを特徴とする、請求項１３〜１５のいずれか１項記載のグレージング。
【請求項１８】
液晶システム（１６）のキャリア支持体（１０，１１）の少なくともいずれかは、ガス中間層（１９）である中間層を介して少なくとも１つの他の剛性支持体（１８）と組み合わされて使用されて、多重グレージングが形成されることを特徴とする、請求項１３〜１７のいずれか１項記載のグレージング。
【請求項１９】
前記グレージングの構成部品である支持体の少なくとも１つが吸収性支持体であり、特に、全体に着色されたガラス状支持体であり、好ましくは、少なくとも活性システム（４；１６）によって、反射性コーティング（１７）と接触している支持体（１１）から分離されている、請求項１〜１８のいずれか１項記載のグレージング。
【請求項２０】
建造物のグレージングとして、外部グレージング、内部パーティショングレージングまたはグレージングドアとしての請求項１〜１９のいずれか１項記載のグレージングの使用。
【請求項２１】
輸送の手段のためのグレージングとして、特に、車屋根のような自動車のためのグレージング、列車のグレージングまたは航空機のグレージングとしての請求項１〜１９記載のグレージングの使用。
【請求項２２】
ミラー、特に「スパイ」ミラータイプの銀メッキされていないミラーとしての請求項１〜１８のいずれか１項記載のグレージング。